(57)【要約】      （修正有）【課題】接続する光導光ケーブルの装着、取り外しが容易で水中での操作性良好であり、複数台使用の場合でも光導光ケーブルによる光リンクを確実に行うことができるスレーブ発光用の光誘導光路付き外部ストロボ装置を提供する。【解決手段】外部ストロボ本体２と、この外部ストロボ本体２の端面に設けられ、内蔵した発光管７からの光を外部に射出する光透過材からなるフェイスマスク３とを有するスレーブ発光用の光誘導光路付き外部ストロボ装置１であって、フェイスマスク３は、光受光用、光射出用の２個の光導光ケーブル用受端子１４と、を有し、前記フェイスマスク３に、内蔵した発光管からの光の一部を装着される光導光ケーブル１９ｂの端面に誘導するスレーブ発光用の光誘導光路を設けた構成としたものである。【選択図】図５
2011064847.tif 000002
【特許請求の範囲】
【請求項１】
外部ストロボ本体と、この外部ストロボ本体の端面に設けられ、内蔵した発光管からの光を外部に射出する光透過材からなるフェイスマスクとを有するスレーブ発光用の光誘導光路付き外部ストロボ装置であって、
前記フェイスマスクは、内蔵した発光管からの光を外部に射出する発光窓部と、この発光窓部の外側領域を占める光受光用、光射出用の２個の光導光ケーブル用受端子と、を有し、
前記フェイスマスクに、内蔵した発光管からの光の一部を前記２個の光導光ケーブル用受端子の内の一方である光射出用の光導光ケーブル用受端子に装着される光導光ケーブルの端面に誘導するスレーブ発光用の光誘導光路を設けたこと、
を特徴とするスレーブ発光用の光誘導光路付き外部ストロボ装置。
【請求項２】
外部ストロボ本体と、この外部ストロボ本体の端面に設けられ、内蔵した発光管からの光を外部に射出する光透過材からなるフェイスマスクとを有する防水仕様でスレーブ発光用の光誘導光路付き外部ストロボ装置であって、
前記フェイスマスクは、内蔵した発光管からの光を外部に射出する発光窓部と、この発光窓部の外側領域を占める光受光用、光射出用の２個の光導光ケーブル用受端子と、を有し、
前記フェイスマスクの発光窓部における前記光射出用の光導光ケーブル用受端子に近い位置で外側から肉厚部内に向けて穿設した凹陥部の底部に形成した第１の反射面と、前記フェイスマスク内面における前記光射出用の光導光ケーブル用受端子に対向する位置に形成した第２の反射面と、を具備し、内蔵した発光管からの光の一部を前記第１の反射面、第２の反射面で反射させ、前記光射出用の光導光ケーブル用受端子に装着される光導光ケーブルの端面に誘導するスレーブ発光用の光誘導光路を設けたこと、
を特徴とするスレーブ発光用の光誘導光路付き外部ストロボ装置。
【請求項３】
前記フェイスマスクにおける第１の反射面、第２の反射面は、フェイスマスクに対する鏡面仕上げにより形成したことを特徴とする請求項２記載のスレーブ発光用の光誘導光路付き外部ストロボ装置。
【請求項４】
防水カメラハウジング内にカメラを収納した防水カメラ本体と、
外部ストロボ本体と、この外部ストロボ本体の端面に設けられ、内蔵した発光管からの光を外部に射出する光透過材からなるフェイスマスクとを有する防水仕様でスレーブ発光用の光誘導光路付き外部ストロボ装置であって、前記フェイスマスクは、内蔵した発光管からの光を外部に射出する発光窓部と、この発光窓部の外側領域を占める光受光用、光射出用の２個の光導光ケーブル用受端子と、を有し、前記フェイスマスクの発光窓部における前記光射出用の光導光ケーブル用受端子に近い位置で外側から肉厚部内に向けて穿設した凹陥部の底部に形成した第１の反射面と、前記フェイスマスク内面における前記光射出用の光導光ケーブル用受端子に対向する位置に形成した第２の反射面と、を具備し、内蔵した発光管からの光の一部を前記第１の反射面、第２の反射面で反射させ、前記光射出用の光導光ケーブル用受端子に装着される光導光ケーブルの端面に誘導するスレーブ発光用の光誘導光路を設けたスレーブ発光用の光誘導光路付き外部ストロボ装置複数台と、
を光導光ケーブルにより接続し、水中撮影を行う防水カメラ・外部ストロボ装置光接続撮影システムであって、
前記防水カメラ本体の内蔵ストロボの光射出領域に臨ませた光導光ケーブル用受端子と、複数台の外部ストロボ装置のうちの初段の外部ストロボ装置における光受光用の光導光ケーブル用受端子とを光導光ケーブルで接続し、初段の外部ストロボ装置における光射出用の光導光ケーブル用受端子と、次段の外部ストロボ装置における光受光用の光導光ケーブル用受端子とを光導光ケーブルで接続する態様で、前記防水カメラ本体と、複数台の外部ストロボ装置とを光接続し、各外部ストロボ装置をスレーブ発光させて水中撮影を行うように構成したことを特徴とする防水カメラ・外部ストロボ装置光接続撮影システム。
【請求項５】
前記フェイスマスクにおける第１の反射面、第２の反射面は、フェイスマスクに対する鏡面仕上げにより形成したことを特徴とする請求項４記載の防水カメラ・外部ストロボ装置光接続撮影システム。
【発明の詳細な説明】
【技術分野】
【０００１】
本発明は、水中で魚類や水中植物等の被写体の撮影を行う場合に好適なスレーブ発光用の光誘導光路付き外部ストロボ装置及び防水カメラ・外部ストロボ装置光接続撮影システムに関するものである。
【背景技術】
【０００２】
例えば、水中で魚類や水中植物等の被写体の撮影を行う場合、水中での光量不足を補うため、防水カメラケースに収納したカメラ（通常のスチールカメラ、デジタルカメラ、ビデオカメラ等）に防水仕様の外部ストロボを組み付け、電気ケーブル等にて接続するか、又はカメラの内蔵ストロボを発光させてこれに連動して外部ストロボを発光させるように構成するのが一般的である。
【０００３】
また、防水カメラハウジングに収納したカメラと、複数、例えば２台の外部ストロボとを組み合わせ、防水カメラハウジング内のカメラの内蔵ストロボの発光を一方の外部ストロボに設けた光センサで受光してこの一方の外部ストロボを発光させ、さらに、一方の外部ストロボの発光を他方の外部ストロボに設けた光センサで受光してこの他方の外部ストロボを一方の外部ストロボと略同時に発光させるという２台の外部ストロボのスレーブ発光状態の下での水中撮影を行うことも行われている。
【０００４】
しかし、このような光センサを用いた水中撮影システムの場合、防水カメラハウジングと一方の外部ストロボ、両外部ストロボ相互の配置に必然的に制約が生じ、撮影者が所望する被写体に対する種々の態様のライティングに対応しきれないという問題を包含している。
【０００５】
特許文献１には、２台のストロボを用い、一方のストロボは、水中カメラと光信号ケーブルにより接続して主灯として機能させ、他方のストロボは、カメラとの間に直接のリンクがなく、光信号入力部により主灯からの光を受光することで発光する増灯（スレーブ）として機能させるように構成した主灯・増灯両用型の光感応ストロボと水中カメラとの光接続システムが提案されている。
【０００６】
この特許文献１の場合も、水中カメラと一方のストロボを光信号ケーブルでリンクさせるものの、他方のストロボは水中を透過する光のみによるリンクで動作するものであることから、他方のストロボの配置に必然的に制約が生じ、やはり撮影者が所望する被写体に対する種々の態様のライティングに対応しきれないという問題を包含している。
【０００７】
さらに、上述した構成の特許文献１の光接続システムの場合、３台以上のストロボを所望の位置に配置して光リンクさせるような使用態様は難しい。
【先行技術文献】
【特許文献】
【０００８】
【特許文献１】特開平１１−２３７６６２号公報
【発明の概要】
【発明が解決しようとする課題】
【０００９】
本発明が解決しようとする問題点は、光導光ケーブルの装着、取り外しが容易で水中での操作性良好であり、２台、３台、４台というように複数台使用の場合でも光導光ケーブルによる光リンクを確実に行うことができ、被写体に対する種々の態様のライティングに対応するための配置の自由度を高めるために使用できるようなスレーブ発光用の光誘導光路付き外部ストロボ装置、さらには、このようなスレーブ発光用の光誘導光路付き外部ストロボ装置を使用した防水カメラ・外部ストロボ装置光接続撮影システムが存在しない点である。
【課題を解決するための手段】
【００１０】
本発明のスレーブ発光用の光誘導光路付き外部ストロボ装置は、外部ストロボ本体と、この外部ストロボ本体の端面に設けられ、内蔵した発光管からの光を外部に射出する光透過材からなるフェイスマスクとを有するスレーブ発光用の光誘導光路付き外部ストロボ装置であって、前記フェイスマスクは、内蔵した発光管からの光を外部に射出する発光窓部と、この発光窓部の外側領域を占める光受光用、光射出用の２個の光導光ケーブル用受端子と、を有し、前記フェイスマスクに、内蔵した発光管からの光の一部を前記２個の光導光ケーブル用受端子の内の一方である光射出用の光導光ケーブル用受端子に装着される光導光ケーブルの端面に誘導するスレーブ発光用の光誘導光路を設けたことを最も主要な特徴とする。
【発明の効果】
【００１１】
請求項１乃至３記載の発明によれば、光誘導光路１８を経由して前記光導光ケーブル用受端子１４に装着される光導光ケーブル１９ｂに前記発光管７からの光の一部を導き、この光を次段に配置する他の外部ストロボ装置１のスレーブ発光用として利用することができ、簡略構成で、部品点数削減、省スペース化をも図れるスレーブ発光用の光誘導光路付き外部ストロボ装置を提供することができる。
【００１２】
請求項４、５記載の発明によれば、上述した外部ストロボ装置を複数台使用したシステム構成の基に、光導光ケーブルの装着、取り外しが容易で水中での操作性良好であり、また、光導光ケーブルによる防水カメラ本体と、各外部ストロボ装置との光リンクを確実に行うことができ、さらに、被写体に対する種々の態様のライティングに対応するための各外部ストロボ装置の配置の自由度を高めることもできる防水カメラ・外部ストロボ装置光接続撮影システムを提供することができる。
【図面の簡単な説明】
【００１３】
【図１】図１は本発明の実施例に係る防水カメラ・外部ストロボ装置光接続撮影システムの概略正面図である。
【図２】図２は本発明の実施例に係るスレーブ発光用の光誘導光路付き外部ストロボ装置の斜視図である。
【図３】図３は本実施例に係るスレーブ発光用の光誘導光路付き外部ストロボ装置の正面図である。
【図４】図４は本実施例に係るスレーブ発光用の光誘導光路付き外部ストロボ装置の側面図である。
【図５】図５は本実施例に係るスレーブ発光用の光誘導光路付き外部ストロボ装置の一部切欠断面図であり、図３のＡ−Ａ線から見たフェイスマスクの部分を断面とした図である。
【発明を実施するための形態】
【００１４】
本発明は、光導光ケーブルの装着、取り外しが容易で水中での操作性良好であり、２台、３台、４台というように複数台使用の場合でも光導光ケーブルによる光リンクを確実に行うことができ、被写体に対する種々の態様のライティングに対応するための配置の自由度を高めることができるスレーブ発光用の光誘導光路付き外部ストロボ装置を提供するという目的を、外部ストロボ本体と、この外部ストロボ本体の端面に設けられ、内蔵した発光管からの光を外部に射出する光透過材からなるフェイスマスクとを有する防水仕様でスレーブ発光用の光誘導光路付き外部ストロボ装置であって、前記フェイスマスクは、内蔵した発光管からの光を外部に射出する発光窓部と、この発光窓部の外側領域を占める光受光用、光射出用の２個の光導光ケーブル用受端子と、を有し、前記フェイスマスクの発光窓部における前記光射出用の光導光ケーブル用受端子に近い位置で外側から肉厚部内に向けて穿設した凹陥部の底部に形成した第１の反射面と、前記フェイスマスク内面における前記光射出用の光導光ケーブル用受端子に対向する位置に形成した第２の反射面と、を具備し、内蔵した発光管からの光の一部を前記第１の反射面、第２の反射面で反射させ、前記光射出用の光導光ケーブル用受端子に装着される光導光ケーブルの端面に誘導する構成により実現した。
【実施例】
【００１５】
以下に本発明の実施例に係るスレーブ発光用の光誘導光路付き外部ストロボ装置、及び、このスレーブ発光用の光誘導光路付き外部ストロボ装置を使用した防水カメラ・外部ストロボ装置光接続撮影システムについて詳細に説明する。
【００１６】
図１は、本実施例に係る防水カメラ・外部ストロボ装置光接続撮影システム３１を、図２乃至図５は本実施例に係るスレーブ発光用の光誘導光路付き外部ストロボ装置（以下「外部ストロボ装置」という）１を示すものである。
【００１７】
最初に、図２乃至図５を参照して、本実施例に係る外部ストロボ装置１について説明する。
【００１８】
本実施例に係る外部ストロボ装置１は、全体として略円筒状を呈し防水仕様とした外部ストロボ本体２と、この外部ストロボ本体２の一方の端面側に配置した例えば透明合成樹脂材のような光透過材からなる板状のフェイスマスク３とを有している。
【００１９】
また、外部ストロボ本体２の外周の一部（図１において下部）には、後述する第１支持アーム３６又は第２支持アーム３７への取り付け用突片１２を設けている。
【００２０】
前記フェイスマスク３は、前記外部ストロボ本体２の一方の端面側に周辺カバー部材２ａにより外周を囲まれた状態で装着されており、また、前記外部ストロボ本体２の内部には、図５に示すように反射鏡５、拡散板６で囲まれたストロボ光を発光する発光管７を、前記フェイスマスク３に臨ませる状態で配置している。
【００２１】
さらに、前記外部ストロボ本体２の内部には、前記発光管７を点灯駆動する点灯駆動回路部８を組み込んでいる。
【００２２】
前記フェイスマスク３は、前記発光管７からの光を外部に射出する円形の発光窓部１１と、この発光窓部１１の下側に突出させた下側突出部とを一体的に具備し、下側突出部に一定の間隔を隔て光受光用、光射出用の２個の光導光ケーブル用受端子１３、１４を左右対称配置に設けている。
【００２３】
一方の光導光用受け端子１３は、この光導光用受け端子１３に装着される光導光ケーブル１９ａ端面（出射端）からの光を図示しないが光電変換部で電気信号に変換し前記発光管７の発光支持用の信号として前記点灯駆動回路部８に伝送するために設けられている。
そして、点灯駆動回路部８を動作させ、前記発光管７を点灯させるように構成している。
【００２４】
前記フェイスマスク３は、図５に示すように、このフェイスマスク３の発光窓部１１における前記光射出用の光導光ケーブル用受端子１４に近い位置で外側から肉厚部内に向けて穿設した凹陥部１５の底部に形成した第１の反射面１６と、前記フェイスマスク３の内面における前記光射出用の光導光ケーブル用受端子１４に対向する位置に形成した第２の反射面１７と、を具備している。
【００２５】
そして、前記発光管７からの光の一部を前記第１の反射面１６、第２の反射面１７で反射させ、前記光射出用の光導光ケーブル用受端子１４に装着される光導光ケーブル１９ｂの端面（入射端）に誘導する光誘導光路１８を形成している。
【００２６】
前記第１の反射面１６、第２の反射面１７は、凹陥部１５の底部に対する鏡面仕上げ、第２の反射面１７を構成する部分の鏡面仕上げにより各々形成することができる。
【００２７】
次に、上述した構成からなる外部ストロボ装置１を使用した本実施例の防水カメラ・外部ストロボ装置光接続撮影システム３１について、図１を参照して説明する。
【００２８】
前記防水カメラ・外部ストロボ装置光接続撮影システム３１は、防水カメラハウジング３２内に例えばデジタルカメラを収納した防水カメラ本体３３と、この防水カメラ本体３３の底部側にネジ体３４によりねじ止め固着され、防水カメラ本体３３を図１において手前に向ける状態で固定支持する支持ステー３５と、支持ステー３５の両端から各々回動変位可能に立設した第１支持アーム３６、第２支持アーム３７とを有している。
【００２９】
そして、前記第１支持アーム３６の上端に、一方の外部ストロボ装置１の取り付け用突片１２を取り付けてこの外部ストロボ装置１を図１において手前に向ける状態で支持し、また、前記第２支持アーム３７の上端に、他方の外部ストロボ装置１の取り付け用突片１２を取り付けてこの外部ストロボ装置１を図１において手前に向ける状態で支持している。
【００３０】
さらに、防水カメラ本体３３の発光窓３３ａ（内蔵したカメラのストロボの光を射出する窓）の一部に、一方の光導光ケーブル１９ａの入射端側を取り付け、この光導光ケーブル１９ａの出端側を前記一方の外部ストロボ装置１における光受光用の光導光ケーブル用受端子１３に装着している。
【００３１】
また、他方の光導光ケーブル１９ｂの入射端側を一方の外部ストロボ装置１における光射出用の光導光ケーブル用受端子１４に装着し、この光導光ケーブル１９ｂの出端側を他方の外部ストロボ装置１における光受光用の光導光ケーブル用受端子１３に装着している。
【００３２】
このように、本実施例の防水カメラ・外部ストロボ装置光接続撮影システム３１は、前記防水カメラ本体３３と、２台の外部ストロボ装置１とを光導光ケーブル１９ａ、１９ｂにより光接続し、２台の外部ストロボ装置１を防水カメラ本体３３内のストロボの発光にリンクさせてスレーブ発光させ、これにより水中での被写体撮影を行うように構成している。
【００３３】
上述した本実施例の外部ストロボ装置１によれば、前記発光管７からの光の一部を前記第１の反射面１６、第２の反射面１７で反射させ、前記光射出用の光導光ケーブル用受端子１４に装着される光導光ケーブル１９ｂの端面（入射端）に誘導するフェイスマスク３の肉厚部を利用した光誘導光路１８を形成しているので、この光誘導光路１８を経由して前記光導光ケーブル用受端子１４に装着される光導光ケーブル１９ｂに前記発光管７からの光の一部を導き、この光を次段に配置する他の外部ストロボ装置１のスレーブ発光用として利用することができる。
【００３４】
また、前記光誘導光路１８は、前記フェイスマスク３の一部に、第１の反射面１６、第２の反射面１７を形成し、さらに前記フェイスマスク３の一部に光導光ケーブル用受端子１４を形成するだけの簡略構成であるため、外部ストロボ装置１の筺体部に光導光ケーブル用受端子を設け、発光管からの光の一部を前記光導光用受端子に導くような構造に比べ、部品点数削減、省スペース化可能であり、光導光ケーブル１９ｂにより照射角を遮ることもなく、また、光導光ケーブル用受端子１３、１４は、内部に発光管７より発光された光を外部に照射するフェイスマスク３の発光窓部１１の輪郭外に位置するので、光照射の邪魔にならないという利点も存する。
【００３５】
尚、前記第１の反射面１６は、海水又は淡水が触れる凹陥部１５の底部に形成されることから、フェイスマスク３の部分から外部ストロボ装置１内に海水又は淡水が流入するというような不都合は生じない。
【００３６】
上述した本実施例の防水カメラ・外部ストロボ装置光接続撮影システム３１によれば、上述した作用、効果を奏する外部ストロボ装置１を例えば２台使用したシステム構成の基に、光導光ケーブル１９ａ、１９ｂの装着、取り外しが容易で水中での操作性良好であり、また、光導光ケーブル１９ａ、１９ｂによる防水カメラ本体３３と、２台の外部ストロボ装置１との光リンクを確実に行うことができ、光導光ケーブル１９ａ、１９ｂの採用により、従来のように光センサ方式で光リンクを行う場合に比べ、被写体に対する種々の態様のライティングに対応するための２台の外部ストロボ装置１の配置の自由度を高めることができる。
【００３７】
本実施例の防水カメラ・外部ストロボ装置光接続撮影システム３１は、上述した外部ストロボ装置１を例えば２台使用したシステム構成の他に、外部ストロボ装置１を例えば３台、４台とした複数台使用のシステム構成を容易に実現でき、これら場合には、被写体に対する種々の態様のライティングに対応するための各外部ストロボ装置１の配置の自由度をより高めることができる。
【産業上の利用可能性】
【００３８】
本発明は、防水カメラ・外部ストロボ装置光接続撮影システムに適用する場合の他、防水カメラハウジングを使用しない地上撮影に使用する内蔵ストロボ付きのカメラ各種カメラ（デジタルカメラ、ビデオカメラ等）と、外部ストロボ装置とを組み合わせたカメラ・外部ストロボ装置光接続撮影システムとして広範に応用可能である。
【符号の説明】
【００３９】
１    外部ストロボ装置
２    外部ストロボ本体
２ａ  周辺カバー部材
３    フェイスマスク
５    反射鏡
６    拡散板
７    発光管
８    点灯駆動回路部
１１    発光窓部
１２    取り付け用突片
１３    光導光ケーブル用受端子
１４    光導光ケーブル用受端子
１５    凹陥部
１６    第１の反射面
１７    第２の反射面
１８    光誘導光路
１９ａ  光導光ケーブル
１９ｂ  光導光ケーブル
３１    防水カメラ・外部ストロボ装置光接続撮影システム
３２    防水カメラハウジング
３３    防水カメラ本体
３３ａ  発光窓
３４    ネジ体
３５    支持ステー
３６    第１支持アーム
３７    第２支持アーム
【図１】
2011064847.tif 000003
【図２】
2011064847.tif 000004
【図３】
2011064847.tif 000005
【図４】
2011064847.tif 000006
【図５】
2011064847.tif 000007
【手続補正書】
【提出日】平成21年9月28日(2009.9.28)
【手続補正１】
【補正対象書類名】図面
【補正対象項目名】図５
【補正方法】変更
【補正の内容】
【図５】
2011064847.tif 000008